(57)【要約】      （修正有）【課題】スリーブ内にコンクリートが流れ込むことのないコンクリート打設を可能にすると共に作業現場での配管の支持固定作業を簡単且つ容易に行うことを可能とする床スリーブユニットを提供する。【解決手段】床スリーブユニット１は、デッキプレート１１に形成した複数のスリーブ配置穴１１ａに床スリーブ１０を起立状態で固定し、円筒上のスリーブ本体１２の上部には配管固定機構１６が一体に設けられている。配管固定機構は、支持基台１８、取付台２０、配管固定部材２２及びＵボルト２４で構成され、スリーブ本体の上部開口には着脱自在に蓋部材２６が設けられている。蓋部材は配管固定機構により仮止め固定されており、コンクリート打設が終わって配管を通す時、スリーブ本体から取り外される。【選択図】図１
0003199418.tif 000002
【実用新案登録請求の範囲】
【請求項１】
デッキプレートに形成した複数のスリーブ配置穴に床スリーブを起立状態で固定した床スリーブユニットに於いて、
前記複数の床スリーブの各々は、
配管を挿通する円筒状のスリーブ本体と、
前記スリーブ本体の上部に一体に設けられ、前記スリーブ本体を高さ方向に挿通する配管を支持固定する配管固定機構と、
前記スリーブ本体の上部開口に着脱自在に設けられ、前記蓋部材を前記配管固定機構により仮止め固定した蓋部材と、
を設けたことを特徴とする床スリーブユニット。
【請求項２】
請求項１記載の床スリーブユニットに於いて、前記床スリーブの配管固定機構は、
Ｌ字断面をもつ一対のアングル材を、前記スリーブ本体の側面円筒の外周に一対のアングル面の先端内側を接触した状態で軸方向に固定配置した支持基台と、
Ｌ字断面をもつ一対のアングル材を、一方のアングル面が前記スリーブ本体の上部開口に位置するように他方のアングル面を前記支持基台の両側に固定配置し、前記一方のアングル面に一対の第１ボルト通し穴を形成した取付台と、
Ｌ字断面をもつアングル材の前記取付台に載置する一方のアングル面に、前記第１ボルト通し穴に相対して一対の第２ボルト通し穴を形成すると共に、他方のアングル面に前記配管の口径に対応した間隔で一対の第３ボルト通し穴を形成し、前記第２ボルト通し穴から前記取付台の第１ボルト通し穴に相通したボルトに対するナットの螺合により前記取付台に固定する配管固定部材と、
前記配管固定部材の前記第３ボルト通し穴にＵ字形の両端部を連結して前記配管を前記配管固定部材に締め付け固定するＵ字締結部材と、
を備え、
前記スリーブ本体の上部開口に設けた前記蓋部材を、前記取付台に対する前記配管固定部材のボルト止めにより挟み込んで仮止め固定することを特徴とする床スリーブユニット。
【請求項３】
請求項２記載の床スリーブユニットに於いて、
前記取付台の第１ボルト通し穴を前記スリーブ本体に向う方向に長い第１長穴とし、前記配管固定部材の第２ボルト通し穴を前記第１長穴に直交する方向に長い第２長穴とし、
前記取付台の第１長穴と前記配管固定部材の第２長穴を位置合せして挿通したボルトにナットを螺合し、前記スリーブ本体を挿通する前記配管の中心軸線を前記スリーブ本体の中心軸線に略一致するように、前記第１及び第２長穴の範囲で前記配管固定部材を位置調整する構造としたことを特徴とする床スリーブユニット。
【考案の詳細な説明】
【技術分野】
【０００１】
本考案は、デッキプレートに複数の床スリーブを起立状態で固定した床スリーブユニットに関する。
【背景技術】
【０００２】
従来、ビルやマンション等の建築構造物に設置される水回りの配管設備にあっては、鉄筋構造物に対し床を構築する仮枠を設置して鉄筋を配筋し、仮枠の所定位置に必要な数の床スリーブを固定し、この状態でコンクリートを打設し、コンクリートが固まった後に、床スリーブに配管を通し、床スリーブの床面開口部にアングル材を使用した配管固定部を現場作業により設けて配管を支持固定している。
【０００３】
しかし、仮枠に複数の床スリーブを設置する場合、現場作業として床スリーブの配置位置を墨出しする作業が必要であり、手間と時間がかかることから、図１２に示す床スリーブユニットを用いるようにしている。
【０００４】
図１２（Ａ）はスリーブユニットの組立前の分解状態を示しており、工場設備を利用し、建物の水周りとなる床スリーブの配置スペースに対応した所定サイズの鋼板を用いたデッキプレート１０２を準備し、デッキプレート１０２の所定位置に必要とする数のスリーブ配置穴１０２ａを加工し、ここに図１２（Ｂ）に示すように、床スリーブ１０２を起立状態で配置して溶接などにより固定し、床スリーブユニット１００を製作する。
【０００５】
図１３乃至図１５は従来の床スリーブユニットの設置工事を示している。まず図１３に示すように、例えば隣接する上下階の床工事を例にとると、鉄筋構造物（図示せず）に対し仮枠１０３を設置し、水回りとなる所定の位置の仮枠１０３に床スリーブユニット１００を配置し、デックプレート１０２を釘など固定し、更に鉄筋１０４を配筋し、床スリーブ１０１を結束線などで鉄筋１０４に固定する。
【０００６】
この状態でコンクリートを打設することで、図１４に示すように、床スリーブユニット１００に配置して複数の床スリーブ１０１による貫通穴を持つコンクリート床１０５を構築する。次に、図１５に示すように、コンクリート床１０５における床面の床スリーブ１０１が開口した位置に、アングル材を利用して配管固定部１０８を現場作業で設置する。更に、図１５に示すように、床スリーブ１０１を高さ方向に挿通する配管１０２を、配管固定部１０８により固定支持し、床スリーブ１０１と配管１０６の間の隙間に不燃材やシール材を充填して隙間を塞ぐようにしている。
【０００７】
図１６は従来の配管固定部を拡大して示しており、図１６（Ａ）は側面を示し、図１６（Ｂ）は平面を示す。図１５に示すように、配管固定部１０８は、断面コ字型のアングル材を取付台１１０として床スリーブ１０１の開口を挟んで両側２箇所にアンカーボルト等で固定し、続いて、ナット１１６を螺合したＵボルト１１４を設けた断面Ｌ字型のアングル材を配管固定部材１１２として取付台１１０の上に載せて溶接等で固定し、Ｕボルト１１４により配管１０６を配管固定部材１１２に押し当てた状態でナット１１６の螺合により締め付け固定し、配管１０６の中心が床スリーブ１００の略中心を通るように位置決め固定している。
【０００８】
しかしながら、このような従来の床スリーブユニットにあっては、コンクリート床面に開口した複数の床スリーブ開口部に、図１６に示した配管固定部１０８を、溶接装置を使用した現場作業により組み付けて配管を支持固定しており、アーク溶接装置の場合は電源の確保が必要であり、またガス溶接装置の場合にはガスボンベの搬入を必要とし、スペース的に制約のある場所での作業となり、そのために手間と時間がかかるという問題がある。
【０００９】
この問題を解決するため本願出願人は、配管を挿通する円筒状のスリーブ本体の上部に、スリーブ本体を高さ方向に挿通する配管を支持固定する配管固定機構を一体に設けた構造の床スリーブを設けた床スリーブユニットを提案しており（特許文献２）、コンクリートを打設して床を構築した後に、床スリーブの開口部に配管固定部を設置する現場作業が不要となり、溶接装置を必要とすることなく、作業現場において床スリーブのスリーブ本体を高さ方向に挿通する配管を、スリーブ本体の上部に一体に設けた配管固定機構により支持固定することができ、工事作業の効率を大幅に高めることを可能としている。
【先行技術文献】
【特許文献】
【００１０】
【特許文献１】特開平６−３０６９７６号公報
【特許文献２】実用新案登録第３１８６３４６号公報
【考案の概要】
【考案が解決しようとする課題】
【００１１】
ところで、このような床スリーブユニットを鉄筋構造物の仮枠に固定してコンクリートを打設する場合、デッキプレートに設けている複数の床スリーブの中にコンクリートが入らないように注意をする必要があり、コンクリート打設の作業負担が増加する問題がある。
【００１２】
また、コンクリート打設により床スリーブの中にコンクリートが入らないように、スリーブ本体の上部開口をダンボールや板切れ等の材料で一時的に塞ぐ現場作業を行う場合もあり、コンクリート打設の前に行う準備作業に手間と時間がかかり、また、有り合わせの材料を使用して床スリーブの開口を閉鎖しているが、閉鎖が不完全な場合には床スリーブの中にコンクリートが入って固まり、これを取り除く作業を必要とする問題がある。
【００１３】
本考案は、デッキプレートに配置した複数の床スリーブ内にコンクリートが流れ込むことのないコンクリート打設を可能にすると共に作業現場での配管の支持固定作業を簡単且つ容易に行うことを可能とする床スリーブユニットを提供することを目的とする。
【００１４】
本考案は、作業現場での配管の支持固定作業を簡単且つ容易にする床スリーブユニットを提供することを目的とする。
【課題を解決するための手段】
【００１５】
（床スリーブユニット）
本考案は、デッキプレートに形成した複数のスリーブ配置穴に床スリーブを起立状態で固定した床スリーブユニットに於いて、
複数の床スリーブの各々は、
配管を挿通する円筒状のスリーブ本体と、
スリーブ本体の上部に一体に設けられ、スリーブ本体を高さ方向に挿通する配管を支持固定する配管固定機構と、
スリーブ本体の上部開口に着脱自在に設けられ、蓋部材を配管固定機構により仮止め固定した蓋部材と、
を設けたことを特徴とする。
【００１６】
（配管固定機構と蓋部材の仮止め）
床スリーブの配管固定機構は、
Ｌ字断面をもつ一対のアングル材を、スリーブ本体の側面円筒の外周に一対のアングル面の先端内側を接触した状態で軸方向に固定配置した支持基台と、
Ｌ字断面をもつ一対のアングル材を、一方のアングル面が前記スリーブ本体の上部開口に位置するように他方のアングル面を支持基台の両側に固定配置し、一方のアングル面に一対の第１ボルト通し穴を形成した取付台と、
Ｌ字断面をもつアングル材の取付台に載置する一方のアングル面に、第１ボルト通し穴に相対して一対の第２ボルト通し穴を形成すると共に、他方のアングル面に配管の口径に対応した間隔で一対の第３ボルト通し穴を形成し、第２ボルト通し穴から前記取付台の第１ボルト通し穴に相通したボルトに対するナットの螺合により取付台に固定する配管固定部材と、
配管固定部材の第３ボルト通し穴にＵ字形の両端部を連結して配管を配管固定部材に締め付け固定するＵ字締結部材と、
を備え、
スリーブ本体の上部開口に設けた蓋部材を、取付台に対する配管固定部材のボルト止めにより挟み込んで仮止め固定する。
【００１７】
（長穴としたボルト通し穴）
取付台の第１ボルト通し穴をスリーブ本体に向う方向に長い第１長穴とし、配管固定部材の第２ボルト通し穴を第１長穴に直交する方向に長い第２長穴とし、
取付台の第１長穴と配管固定部材の第２長穴を位置合せして挿通したボルトにナットを螺合し、スリーブ本体を挿通する配管の中心軸線をスリーブ本体の中心軸線に略一致するように、第１及び第２長穴の範囲で配管固定部材を位置調整する構造とする。
【考案の効果】
【００１８】
（基本的な効果）
本考案は、デッキプレートに形成した複数のスリーブ配置穴に床スリーブを起立状態で固定した床スリーブユニットに於いて、複数の床スリーブの各々は、配管を挿通する円筒状のスリーブ本体と、スリーブ本体の上部に一体に設けられ、スリーブ本体を高さ方向に挿通する配管を支持固定する配管固定機構と、スリーブ本体の上部開口に着脱自在に設けられ、蓋部材を配管固定機構により仮止め固定した蓋部材とを設けるようにしたため、床スリーブユニットを鉄筋構造物の仮枠に固定してコンクリートを打設する場合、デッキプレートに配置している複数の床スリーブにおけるスリーブ本体の上部開口は蓋部材の仮止めにより完全に閉鎖されており、打設したコンクリートがスリーブ本体の中に入ることを確実に防止し、配管作業を行う場合に配管固定機構を利用して仮止めしている蓋部材を取り外すことで、コンクリートが中に入っていない状況で効率良く配管を通して支持固定することを可能とする。
【００１９】
また、蓋部材の仮止めは、本体スリーブと一体に設けた配管固定機構を利用しているため、蓋部材を仮止めするために特別な構造を設ける必要がない。
【００２０】
また、コンクリートを打設して床を構築した後に、床スリーブスリーブユニットに設けた複数の床スリーブの開口部に配管固定部を設置する現場作業が不要となり、溶接装置を必要とすることなく、床スリーブのスリーブ本体を高さ方向に挿通する配管を、スリーブ本体の上部に一体に設けた配管固定機構により支持固定することができ、工事作業の効率を大幅に高めることができる。
【００２１】
（配管固定機構と蓋部材の仮止めによる効果）
また、床スリーブの配管固定機構は、Ｌ字断面をもつ一対のアングル材を、スリーブ本体の側面円筒の外周に一対のアングル面の先端内側を接触した状態で軸方向に固定配置した支持基台と、Ｌ字断面をもつ一対のアングル材を、一方のアングル面が前記スリーブ本体の上部開口に位置するように他方のアングル面を支持基台の両側に固定配置し、一方のアングル面に一対の第１ボルト通し穴を形成した取付台と、Ｌ字断面をもつアングル材の取付台に載置する一方のアングル面に、第１ボルト通し穴に相対して一対の第２ボルト通し穴を形成すると共に、他方のアングル面に配管の口径に対応した間隔で一対の第３ボルト通し穴を形成し、第２ボルト通し穴から前記取付台の第１ボルト通し穴に相通したボルトに対するナットの螺合により取付台に固定する配管固定部材と、配管固定部材の第３ボルト通し穴にＵ字形の両端部を連結して配管を配管固定部材に締め付け固定するＵ字締結部材と、
を備え、スリーブ本体の上部開口に設けた蓋部材を、取付台に対する配管固定部材のボルト止めにより挟み込んで仮止め固定するようにしたため、スリーブ本体の上部開口を蓋部材で閉鎖した状態で配管固定機構の取付台による挟み込みで確実に仮止めし、また、コンクリート打設後に蓋部材を外してスリーブ本体を高さ方向に配管を挿通して支持固定する作業を簡単且つ容易に行うことを可能とする。更に、支持基台、取付台及び配管固定部材は、いずれも市販のＬアングル材を利用していることから、製造が容易でコストを必要最小限に抑えることを可能とする。
【００２２】
（長穴としたボルト通し穴による効果）
また、取付台の第１ボルト通し穴をスリーブ本体に向う方向に長い第１長穴とし、配管固定部材の第２ボルト通し穴を第１長穴に直交する方向に長い第２長穴とし、
取付台の第１長穴と配管固定部材の第２長穴を位置合せして挿通したボルトにナットを螺合し、スリーブ本体を挿通する配管の中心軸線をスリーブ本体の中心軸線に略一致するように、第１及び第２長穴の範囲で配管固定部材を位置調整する構造としたため、スリーブ本体を挿通する配管を支持固定した場合に、スリーブ本体と配管の間に均一な隙間を確保することができ、隙間に対する不燃材やシール材の充填をより適切に行うことを可能とする。
【図面の簡単な説明】
【００２３】
【図１】本考案による床スリーブユニットの実施形態を示した説明図
【図２】図１の床スリーブを取り出して示した斜視図
【図３】図２の床スリーブを正面及び平面から示した説明図
【図４】図２の床スリーブを側面から示した説明図
【図５】図２の床スリーブの組立分解状態を正面から示した説明図
【図６】図２の床スリーブの組立分解状態を平面から示した説明図
【図７】図２の床スリーブの組立分解状態を側面から示した説明図
【図８】図２の床スリーブの蓋部材を取り外した状態で示した斜視図
【図９】床工事における床スリーブユニットの組付け配置を示した説明図
【図１０】コンクリート打設により埋め込まれた床スリーブユニットを示した説明図
【図１１】床スリーブユニットの各床スリーブに一体に設けた配管固定機構による配管の支持固定を示した説明図
【図１２】従来の床スリーブユニットを示した説明図
【図１３】床工事における従来の床スリーブの組付け配置を示した説明図
【図１４】コンクリート打設により埋め込まれた従来の床スリーブを示した説明図
【図１５】現場作業による床スリーブを挿通した配管の支持固定を示した説明図
【図１６】図１４の従来の配管固定部を拡大して示した説明図
【考案を実施するための形態】
【００２４】
［床スリーブユニットの構成］
図１は本考案による床スリーブユニットの実施形態を示した説明図、図２は図２の床スリーブを取り出して示した斜視図、図３は図２の床スリーブを正面及び平面から示した説明図、図４は図２の床スリーブを側面から示した説明図、図５は図２の床スリーブの組立分解状態を正面から示した説明図、図６は図２の床スリーブの組立分解状態を平面から示した説明図、図７は図２の床スリーブの組立分解状態を側面から示した説明図、図８は図２の床スリーブの蓋部材を取り外した状態で示した斜視図である。
【００２５】
（床スリーブユニットの概要）
図１に示すように、本実施形態の床スリーブユニット１は、デッキプレート１１と複数の床スリーブ１０で構成する。デッキプレート１１は、設置対象とする建物の水周りの配管設置位置に対応した所定の矩形サイズをもつ鋼板であり、所定の配管設置位置となる複数個所、例えば本実施形態では３箇所にスリーブ配置穴１１ａを穴開け加工して形成し、また周囲に仮枠に釘などで固定する場合に使用する通し穴１１ｂを形成している。
【００２６】
デッキプレート１１に形成したスリーブ配置穴１１ａの上には床スリーブ１０を起立した状態で溶接などにより固定している。本実施形態の床スリーブ１０は、配管を挿通する円筒状のスリーブ本体１２、スリーブ本体１２の上部に一体に設けられ、スリーブ本体１２を高さ方向に挿通する配管を支持固定する配管固定機構１５及びスリーブ本体１２の上部開口に着脱自在に設けた蓋部材２６で構成しており、蓋部材２６を配管固定機構１６により仮止め固定している。
【００２７】
本体スリーブ１２の上部に一体に設けた配管固定機構１６は、支持基台１８、取付台２０、配管固定部材２２及びＵボルト２４を備える。
【００２８】
（床スリーブの構成）
図２乃至図８に示すように、本実施形態の床スリーブ１０は、配管を挿通する円筒状のスリーブ本体１２と、スリーブ本体１２の上部に一体に設けられ、スリーブ本体１２を高さ方向に挿通する配管を支持固定する配管固定機構１６と、スリーブ本体１２の上部開口に着脱自在に設けた蓋部材２６で構成し、蓋部材２６を配管固定機構１６により仮止め固定している。
【００２９】
スリーブ本体１２は例えばステンレス板を円筒形に加工して継ぎ目を溶接固定した管体であり、例えば肉厚は１．２ｍｍ、外形は１５０ｍｍ、高さは３５０ｍｍであり、外形及び高さについては、様々な寸法を準備している。
【００３０】
本体スリーブ１２の上部に一体に設けた配管固定機構１６は、支持基台１８、取付台２０、配管固定部材２２及びＵボルト２４を備える。
【００３１】
支持基台１８は、図６の組立分解の平面に示すように、Ｌ字断面をもつ一対のアングル材を、スリーブ本体１２の側面円筒の外周に一対のアングル面１８ａ，１８ｂの先端内側を接触した状態で軸方向に溶接等により固定配置している。なお、支持基台１８は一対のアングル材に代えて、断面コ字形の単一部材としても良い。また、図６の配管固定部材２２は、取付台２０に対する横方向（図示上方向）にスライドして分解した状態を示している。
【００３２】
取付台２０は、図３（Ａ）及び図５の正面に示すように、Ｌ字断面をもつ一対のアングル材であり、各アングル材の一方のアングル面２０ａをスリーブ本体１２の上部開口に位置するようにし、他方のアングル面２０ｂを支持基台１８の両側に溶接等により固定配置している。また、図６の組立分解の平面に示すように、取付台２０は、水平となる一方のアングル面２０ａに一対の第１ボルト通し穴２８を形成している。
【００３３】
配管固定部材２２は、Ｌ字断面をもつアングル材であり、図６の組立分解の平面に示すように、取付台２０に載置する水平な一方のアングル面２２ａに、取付台２０の第１ボルト通し穴２８に相対して一対の第２ボルト通し穴３０を形成し、図５の組立分解の正面に示すように、第２ボルト通し穴３０から取付台２０の第１ボルト通し穴２８にワッシャ３５を介して挿通したボルト３４に対するナット３６の螺合により取付台２０に固定している。
【００３４】
ここで、図６の組立分解の平面に示した取付台２０の第１ボルト通し穴２８は、スリーブ本体１２に向う方向（図示で上下方向）に長い第１長穴とし、配管固定部材２２の第２ボルト通し穴３０は第１ボルト通し穴２８となる第１長穴に直交する方向（図示で横方向）に長い第２長穴としている。
【００３５】
このため、図３（Ｂ）の平面に示すように、取付台２０の第１ボルト通し穴２８と配管固定部材２２の第２ボルト通し穴３０を位置合せして挿通したボルト３４にナット３６を螺合し、スリーブ本体１２を挿通する配管４０の中心軸線をスリーブ本体１２の中心軸線に略一致するように、第１ボルト通し穴２８となる第１長穴と第２ボルト通し穴３０となる第２長穴の範囲で配管固定部材２２を位置調整する構造としている。
【００３６】
また、配管固定部材２２の垂直なアングル面２２ｂには、図５の組立分解の正面に示すように、配管支持部材２２にＵボルト２４のネジ部２４ａを通す一対の第３ボルト通し穴３２を形成している。ここで、第３ボルト通し穴３２は、横方向に長い長穴としており、第３ボルト通し穴３２に嵌め入れたＵボルト２４を長穴の範囲で横方向に調整自在としている。
【００３７】
Ｕボルト２４はＵ字締結部材として機能し、図５の組立分解の正面に示した配管固定部材２２における垂直なアングル面２２ｂに形成した第３ボルト通し穴３２に、図３（Ｂ）及び図４に示すように、Ｕ字端部のネジ部２４ａを挿通し、当該ネジ部２４ａに対するナット３８の螺合により配管を配管固定部材２２に締め付け固定可能としている。なお、Ｕボルト２４の代わりに、Ｕ字端部にボルトを装着したＵバンドをＵ字締結部材として使用しても良い。
【００３８】
蓋部材２６は、図５及び図７の組立分解の正面及び側面に示すように、円盤状に窪み形成した蓋本体２６ａと、蓋本体２６の周囲に一体に形成した鍔部２６ｂで構成しており、スリーブ本体１２の上部開口に蓋本体２６ａを鍔部２６ｂがスリーブ開口に当る位置まで押し込んで、スリーブ本体１２の上部開口を閉鎖している。
【００３９】
また、スリーブ本体１２の上部開口に装着した蓋部材２６は、配管固定機構１６を利用して仮止め固定している。即ち、スリーブ本体１２の上部開口に蓋部材２６を装着する場合には、配管固定部材２２のボルト３４を緩めることで、取付台２０に対し配管固定部材２２を浮かせて十分な隙間を形成可能としておき、配管固定部材２２の取付台２０との隙間に蓋部材２６の一部を差し入れるようにしてスリーブ本体１２の上部開口に嵌め入れて閉鎖する。
【００４０】
続いてボルト３４に対するナット３６の螺合により、取付台２０に配管固定部材２２を固定することで、その間に蓋部材２６の鍔部２６ａを部分的に挟み付けて仮止め固定する。
【００４１】
床スリーブ１０を鉄筋の仮枠等に仮止め固定した状態でコンクリートを打設してコンクリート床を形成した場合には、図８に示すように、スリーブ本体１２の上部開口に装着して仮止め固定していた蓋部材２６を、ボルト３６を緩めて配管固定部材２２を取付台２０から浮かせることで取り外し、上下に開口した床スリーブ１０に配管を通して固定支持する作業を行うことになる。
【００４２】
なお、配管固定部材２２に対するＵボルト２４の組付けは、配管スリーブ１０をコンクリート打設により床面に埋込設置した後の配管固定作業の際に使用することから、コンクリート打設前には、Ｕボルト２４は外しておいても良い。
【００４３】
［床スリーブユニットを用いた床工事］
図９は床工事における床スリーブユニットの組付け配置を示した説明図である。図９に示すように、床工事に際しては、図示しない建物の鉄骨構造物に対し床面下部（下の階の天上裏面）に仮枠４４を構築し、仮枠４４における水回りとなる所定位置に本考案の床スリーブユニット１を配置し、デッキプレート１１の周囲に形成した通し穴に釘打ちして仮止めする。続いて鉄筋４６を配筋し、床スリーブユニット１に固定している床スリーブ１０に当接している鉄筋４６に対し針金などの結束線を使用して固定する。
【００４４】
ここで、床スリーブ１０の上部に一体に設けている配管固定機構１６については、スリーブ本体１２に通す配管４０の外径が予め決まっていることから、図３（Ｂ）に示したように、平面から見て、Ｕボルト２４により配管固定部材２２に配管４０を支持固定した状態で、スリーブ本体１２の中心軸線に配管４０の中心軸線が一致するように、取付台２０に対し配管固定部材２２を位置調整し、ボルト３４とナット３６により配管固定部材２２を取付台２０に締め付け固定しておくようにする。これは床スリーブユニット１をコンクリート打設により床に埋設した状態では、配管固定部材２２の位置調整ができないことから、コンクリート打設前の段階で位置決め調整して固定しておくようにする。
【００４５】
一方、Ｕボルト２４については、ナット３８を螺合して脱落しないようにしておけばよい。なお、Ｕボルト２４は配管固定を行うまでは使用しないことから、床スリーブ１０から外しておき、配管固定作業の際に取り付けるようにしても良い。
【００４６】
このように床スリーブユニット１を仮枠４４及び鉄筋４６に固定した状態でコンクリートの打設作業を行うが、このときデッキプレート１１に配置している複数の床スリーブ１０におけるスリーブ本体１２の上部開口は蓋部材２６の装着により閉鎖されているため、スリーブ本体１２の中に打設したコンクリートは入ることはない。
【００４７】
図１０はコンクリート打設により埋め込まれた床スリーブユニットを示した説明図である。図１０に示すように、コンクリート打設によりコンクリート床４２が構築されると、予め配置している床スリーブユニット１に設けた複数の床スリーブ１０のスリーブ本体１２がコンクリート床４２に埋設され、スリーブ本体１２の上部開口に装着した蓋部材２６及びスリーブ本体１２の上部に一体に設けた配管固定機構１６はコンクリート床面のスリーブ開口の外側に位置している。
【００４８】
図１１は床スリーブユニットの床スリーブに一体に設けた配管固定機構による配管の支持固定を示した説明図である。図１１に示すように、床スリーブユニット１に設けた複数の床スリーブ１０のスリーブ本体１２に対し配管４０を通して固定支持する場合、まずボルト３４を緩めることで配管固定部材２２を固定台２０から浮かせて蓋部材２６を取り外す。
【００４９】
ここで、本実施形態にあっては、固定台２０の下側にナット３６を配置し、配管固定部材２２が位置する上側からボルト３４を通してナット３６に螺合しているが、逆に、固定台２０の下側からボルト３４を上向きに通して配管固定部材２２の上部に配置したナット３６に螺合して固定するようにしても良い。
【００５０】
この場合には、ボルト３４の頭部がコンクリート内に埋込固定されており、外に出ているナット３６を緩めることで、確実に固定台２０に対し配管固定部材２２を浮かせて蓋部材２６を取外し、再びナット３６を締め付けて固定台２０に配管固定部材２２を締め付け固定する作業がより確実にできる。
【００５１】
続いて、Ｕボルト２４のナット３８を緩めて広げておき、Ｕボルト２４及びスリーブ本体１２を通して配管４０を配置し、配管４０の位置決め等が済んだ場合、Ｕボルト２４のネジ部３６に螺合しているナット３８を締め込み、Ｕボルト２４により配管４０を配管固定部材２２に締め付け固定する。
【００５２】
この場合、配管固定部材２２は配管４０の当接位置で、配管４０の中心軸線がスリーブ本体１２の中心軸線に略一致するように、図９に示したコンクリート打設前の段階で位置調整して固定しており、このためＵボルト２４による配管固定部材２２に対する締め付け固定で、配管４０の中心軸線がスリーブ本体１２の中心軸線に略一致するように支持固定され、スリーブ本体１２と配管４０との間に均一な隙間が形成される。
【００５３】
続いて、スリーブ本体１２と配管４０との間の隙間に、不燃材やシール材を圧入して隙間を塞ぐ。
【００５４】
このようにコンクリートを打設して床を構築した後に、床スリーブユニット１に設けた複数の床スリーブ１０の開口部に配管固定部を設置する現場作業が不要となり、溶接装置を必要とすることなく、作業現場において床スリーブユニット１に設けた複数の床スリーブ１０のスリーブ本体を高さ方向に挿通する配管を、スリーブ本体の上部に一体に設けた配管固定機構１５により支持固定することができ、工事作業の効率を大幅に高めることができる。
【００５５】
［本考案の変形例］
上記の実施形態は、床スリーブユニット１に３本の床スリーブを設けた場合を例にとるものであったが、必要に応じて任意の数の床スリーブを設けても良い。また、床スリーブユニットに設ける床スリーブは、挿通する配管の外径に対応して異なった内径サイズをもつ複数種類の床スリーブを設けても良い。
【００５６】
また、本考案は上記の実施形態に限定されず、その目的と利点を損なうことのない適宜の変形を含み、更に上記の実施形態に示した数値による限定は受けない。
【符号の説明】
【００５７】
１：床スリーブユニット
１０：床スリーブ
１１：デッキプレート
１１ａ：スリーブ配置穴
１１ｂ：通し穴
１２：スリーブ本体
１６：配管固定機構
１８：支持基台
１８ａ，８ｂ，２０ａ，２０ｂ，２２ａ，２２ｂ：アングル面
２０：取付台
２２：配管固定部材
２４：Ｕボルト
２６：蓋部材
２６ａ：蓋本体
２６ｂ：鍔部
２８：第１ボルト通し穴
３０：第２ボルト通し穴
３２：第３ボルト通し穴
３４：ボルト
３６，３８：ナット
４０：配管
４２：コンクリート床
【図１】
0003199418.tif 000003
【図２】
0003199418.tif 000004
【図３】
0003199418.tif 000005
【図４】
0003199418.tif 000006
【図５】
0003199418.tif 000007
【図６】
0003199418.tif 000008
【図７】
0003199418.tif 000009
【図８】
0003199418.tif 000010
【図９】
0003199418.tif 000011
【図１０】
0003199418.tif 000012
【図１１】
0003199418.tif 000013
【図１２】
0003199418.tif 000014
【図１３】
0003199418.tif 000015
【図１４】
0003199418.tif 000016
【図１５】
0003199418.tif 000017
【図１６】
0003199418.tif 000018